(57)【要約】【課題】  複数の画素回路が形成された基板と外部の回路との接続においてアライメントを容易とすることが可能な発光装置及び電子機器を提供する。【解決手段】  基板と基板上に形成された表示部Ａとを有する電気光学パネルＡＡには、基板の端部から眺めると、複数の端子Ｃ２が形成される端子領域Ｂ４１〜Ｂ４４と、複数の端子Ｃ１が形成される端子領域Ｂ３１〜Ｂ３４と、端子領域Ｂ３１〜Ｂ３４及び端子領域Ｂ４１〜Ｂ４４と複数の画素回路４００が配列された表示部Ａとの間に設けられた共通電源線ＬＲ，ＬＧ及びＬＢ並びに共通陰極電源線ＬＮとが順に形成されている。これらの電源線は、回路電源線により端子Ｃ１に、個別電源線により複数の画素回路４００に接続されている。また、複数の端子Ｃ２と複数の画素回路４００は複数のデータ線１０３により接続されている。【選択図】      図４
2006285058.tif 000002
【特許請求の範囲】
【請求項１】
電源と信号とが供給される複数の画素回路が形成された画素領域を基板上に形成した発光装置であって、
前記基板は、
前記信号が入力される複数の信号端子が形成される信号端子領域と、
前記電源が入力される複数の電源端子が形成される複数の電源端子領域と、
前記信号端子領域及び前記電源端子領域と前記画素領域との間に設けられ、前記電源を引き回す複数の共通電源配線と、
前記複数の共通電源配線と前記複数の電源端子とを各々接続する複数の第１電源接続線と、
前記複数の共通電源線と前記複数の画素回路とを接続する複数の第２電源接続線と、
前記複数の信号端子と前記複数の画素回路とを接続する複数の信号配線とを備え、
前記基板の端部から見て、前記信号端子領域、前記複数の電源端子領域、前記複数の共通電源配線、及び前記画素領域の順に配置したことを特徴とする発光装置。
【請求項２】
前記複数の信号配線を前記複数の電源端子領域の間を通して引き回し、前記画素領域の端部及び前記信号端子領域における前記複数の信号配線のピッチを、前記複数の電源端子領域の間における前記複数の信号配線のピッチより広くしたことを特徴とする請求項１に記載の発光装置。
【請求項３】
前記複数の第１電源接続線と前記複数の信号配線とは、異なる層で前記基板上に形成されたことを特徴とする請求項１又は２に記載の発光装置。
【請求項４】
信号と複数色に対応して電圧の異なる電源とが供給される複数の画素回路が形成された画素領域を基板上に形成した発光装置であって、
前記基板は、
前記信号が入力される複数の信号端子が形成される信号端子領域と、
前記電源が入力される複数の電源端子が形成される複数の電源端子領域と、
前記信号端子領域及び前記電源端子領域と前記画素領域との間に設けられ、前記電源を引き回す複数の共通電源配線と、
前記複数の共通電源配線と前記複数の電源端子とを各々接続する複数の第１電源接続線と、
前記複数の共通電源線と前記複数の画素回路とを接続する複数の第２電源接続線と、
前記複数の信号端子と前記複数の画素回路とを接続する複数の信号配線とを備え、
前記複数の第２電源接続線は、前記画素領域から引き出された複数の第１配線と、前記複数の第１配線のうち同一電圧が供給されるもの同士の一部又は全部を接続する複数の補助配線と、前記複数の第１配線の数より少ない数で前記複数の第１配線と前記複数の共通電源線とを接続する複数の第２配線とを有することを特徴とする発光装置。
【請求項５】
前記複数の補助配線は、前記複数の第１配線のうち同一電圧が供給されるもの同士を全て接続することを特徴とする請求項４に記載の発光装置。
【請求項６】
前記複数の共通電源配線と前記複数の第１電源接続線とを直交するように配置したことを特徴とする請求項１乃至５のうちいずれか１項に記載の発光装置。
【請求項７】
前記複数の共通電源配線と前記複数の信号配線とを直交するように配置したことを特徴とする請求項１乃至６のうちいずれか１項に記載の発光装置。
【請求項８】
前記基板と対向する対向基板と、
前記基板と前記対向基板とを所定の間隙を持って接着するシール部を備え、
前記シール部の長手方向と前記複数の信号配線又は前記複数の第１電源配線とを直交するように配置したことを特徴とする請求項１乃至７のうちいずれか１項に記載の発光装置。
【請求項９】
前記複数の電源端子と接続され、前記電源を供給する第１のフレキシブル基板と、
前記複数の信号端子と接続され、前記信号を供給する第２のフレキシブル基板と、
を備えたことを特徴とする請求項１乃至８のうちいずれか１項に記載の発光装置。
【請求項１０】
請求項１乃至９のうちいずれか１項に記載した発光装置を備えたことを特徴とする電子機器。
【発明の詳細な説明】
【技術分野】
【０００１】
本発明は、発光装置及びこれを用いた電子機器に関する。
【背景技術】
【０００２】
近年、液晶表示装置に替わる画像表示装置として、ＥＬ（Electro Luminescence）素子を備えた装置が注目されている。ＥＬ素子は、光の透過量を変化させる液晶素子とは異なり、それ自体が発光する電流駆動型の発光素子である。発光素子を用いたアクディブマトリクス駆動の発光装置では、各発光素子に対して、発光階調を調整するための画素回路が設けられる。画素回路は、供給された電源により発光素子を発光させるとともに、供給された信号に応じた発光階調となるように発光素子の発光を制御する。このような画素回路が配列された表示部（画素領域）を基板上に形成して発光装置が構成されている。
【０００３】
画素回路への信号は、例えばフレキシブルプリント基板を介して接続された外部回路から供給される。この場合、フレキシブルプリント基板は、表示部が設けられた基板に接続される。この基板において、フレキシブルプリント基板に接続される接続端子と表示部との間には、信号配線や電源配線が配置される。この配置の例を図に示す。
【０００４】
図１２は表示部と接続端子との間における配線パターンの一例を示す図である。この例では、一列に並んだ接続端子Ｐ１及びＰ２と表示部との間に共通電源線Ｌが横たわっている。共通電源線Ｌは複数の画素回路への電源の供給に用いられるものであり、各画素回路と接続されている。また、共通電源線Ｌは外部回路への電源の供給にも用いられており、接続端子Ｐ１に接続されている。また、表示部からの信号配線は共通信号線Ｌと立体的に交差して接続端子Ｐ２に接続されている。
【０００５】
図１３は表示部と接続端子との間における配線パターンの他の例を示す図である。この例でも、一列に並んだ接続端子Ｐ３及びＰ４と表示部との間に共通電源線Ｌが横たわっている。共通電源線Ｌの役割は図１２の例におけるものと同一であり、各画素回路と接続される一方、接続端子Ｐ３に接続されている。また、表示部からの信号配線は共通信号線Ｌと立体的に交差して接続端子Ｐ４に接続されている。
【０００６】
ところで、この種の発光装置では、装置全体の小型化が重要な課題となっている。しかし、上述した例では、全ての接続端子が一列に並んでおり、小型化を達成するためには端子の間隔を狭くせざるを得ない。この結果、基板とフレキシブル基板の接続において、アライメントが困難となる。これは、発光装置、ひいては当該発光装置の製造に悪影響を及ぼす。接続端子の間隔を広くする技術としては、特許文献１〜４に記載のものが挙げられるが、いずれも上記の問題を解決し得るものではない。
【０００７】
【特許文献１】特開２００２−１６９４８７号公報
【特許文献２】特開平１１−３２６９３３号公報
【特許文献３】特開平９−３１８９６２号公報
【特許文献４】特開２０００−２２１５１５号公報
【発明の開示】
【発明が解決しようとする課題】
【０００８】
本発明は上述した問題に鑑みてなされたものであり、複数の画素回路が形成された基板と外部の回路との接続においてアライメントを容易とすることが可能な発光装置及び電子機器を提供する。
【課題を解決するための手段】
【０００９】
上記課題を解決するために本発明に係る発光装置は、電源と信号とが供給される複数の画素回路が形成された画素領域を基板上に形成したものであって、前記基板は、前記信号が入力される複数の信号端子が形成される信号端子領域と、前記電源が入力される複数の電源端子が形成される複数の電源端子領域と、前記信号端子領域及び前記電源端子領域と前記画素領域との間に設けられ、前記電源を引き回す複数の共通電源配線と、前記複数の共通電源配線と前記複数の電源端子とを各々接続する複数の第１電源接続線と、前記複数の共通電源線と前記複数の画素回路とを接続する複数の第２電源接続線と、前記複数の信号端子と前記複数の画素回路とを接続する複数の信号配線とを備え、前記基板の端部から見て、前記信号端子領域、前記複数の電源端子領域、前記複数の共通電源配線、及び前記画素領域の順に配置したことを特徴とする。
【００１０】
この発明によれば、信号端子領域と複数の電源端子領域とが別の領域に配置されているから、複数の信号端子のピッチと複数の電源端子のピッチを独立して設定することができる。これにより、複数の信号端子と複数の電源端子を一列に配置したものと比較して、複数の信号端子のピッチと複数の電源端子のピッチを広く取ることが可能となる。この結果、信号端子間および電源端子間の短絡を防止するとともに、当該基板とフレキシブル基板の接続において、アライメントに余裕を持たせることが可能となる。
【００１１】
上述した発光装置において、前記複数の信号配線を前記複数の電源端子領域の間を通して引き回し、前記画素領域の端部及び前記信号端子領域における前記複数の信号配線のピッチを、前記複数の電源端子領域の間における前記複数の信号配線のピッチより広くすることが好ましい。この場合には、画素領域の端部から引き出された信号配線を束ねて複数の電源端子領域の間を引き回し、電源端子領域を抜けると複数の信号配線のピッチを広げて信号端子領域に導く。これにより、信号端子のピッチを広く取ることが可能となる。
【００１２】
ここで、前記複数の第１電源接続線と前記複数の信号配線とは、異なる層で前記基板上に形成することが好ましい。複数の第１電源接続線は複数の共通電源配線と複数の電源端子とを各々接続するが、これを複数の信号配線とは異なる層で配線するので、同一の層に形成する場合と比較して、製造工程において両者の間で短絡が発生する不具合を低減することができる。この結果、発光装置の歩留まりを向上させ、製造コストを低減することができる。
【００１３】
次に、本発明に係る他の発光装置は、信号と複数色に対応して電圧の異なる電源とが供給される複数の画素回路が形成された画素領域を基板上に形成したものであって、前記基板は、前記信号が入力される複数の信号端子が形成される信号端子領域と、前記電源が入力される複数の電源端子が形成される複数の電源端子領域と、前記信号端子領域及び前記電源端子領域と前記画素領域との間に設けられ、前記電源を引き回す複数の共通電源配線と、前記複数の共通電源配線と前記複数の電源端子とを各々接続する複数の第１電源接続線と、前記複数の共通電源線と前記複数の画素回路とを接続する複数の第２電源接続線と、前記複数の信号端子と前記複数の画素回路とを接続する複数の信号配線とを備え、前記複数の第２電源接続線は、前記画素領域から引き出された複数の第１配線と、前記複数の第１配線のうち同一電圧が供給されるもの同士の一部又は全部を接続する複数の補助配線と、前記複数の第１配線の数より少ない数で前記複数の第１配線と前記複数の共通電源線とを接続する複数の第２配線とを有する。
【００１４】
この発明によれば、補助配線を用いて同一電圧が供給される第１配線が接続されるので、画素領域から引き出された複数の第１配線の全部を複数の共通電源線に接続する必要はなく、複数の第１配線の数より少ない数で複数の第１配線と複数の共通電源線とを接続することができる。このため、第２配線のピッチを広くとることができ、歩留まりを向上させることができる。くわえて、この場合には第１配線が画素領域から引き出された直後に補助配線を用いて同一電圧が供給されるもの同士が接続されるので、電源のインピーダンスを低減することができ、ノイズマージンを向上させることができる。ここで、電源のインピーダンスを低減する観点から、前記複数の補助配線は、前記複数の第１配線のうち同一電圧が供給されるもの同士を全て接続することが好ましい。
【００１５】
ここで、前記複数の共通電源配線と前記複数の第１電源接続線とは、直交するように配置することが、共通電源配線と第１電源接続線の短絡を防止する観点から、望ましい。さらに、前記複数の共通電源配線と前記複数の信号配線とは、直交するように配置することが共通電源配線と信号配線の短絡を防止する観点から好ましい。
【００１６】
また、上述した発光装置において、前記基板と対向する対向基板と、前記基板と前記対向基板とを所定の間隙を持って接着するシール部を備え、前記シール部の長手方向と前記複数の信号配線又は前記複数の第１電源配線とを直交するように配置することが好ましい。この場合、基板と対向基板とはシール部で接着される。両者の接着では、熱や圧力をかけることが通常である。また、製造工程においてシール材に異物が混入することもある。従って、信号配線がシール部と接する面積は小さいことが好ましい。この発明によれば、信号配線とシール部の長手方向とは直交するので、両者が接する面積を小さくして信頼性を向上させることができる。
【００１７】
また、上述した発光装置において、前記複数の電源端子と接続され、前記電源を供給する第１のフレキシブル基板と、前記複数の信号端子と接続され、前記信号を供給する第２のフレキシブル基板と、を備えることが好ましい。この場合には、電源端子と信号端子を独立したフレキシブル基板に接続するので、全ての端子を１個のフレキシブル基板で接続する場合と比較して、アライメントを簡易にできる。なお、第１及び第２のフレキシブル基板は両者が重なるように配置することによって、狭い空間にフレキシブル基板のレイアウトすることが可能となる。
【００１８】
次に、本発明に電子機器は、上述した発光装置を備えることを特徴とする。そのような電子機器としては例えば、複数のパネルを連結した大型ディスプレイ、パーソナルコンピュータ、携帯電話機、および携帯情報端末等が該当する。また、上述した画素回路は有機発光ダイオードや無機発光ダイオードなどの発光素子を備えることが好ましい。
【発明を実施するための最良の形態】
【００１９】
以下、添付の図面を参照しながら本発明に係る様々な実施の形態を説明する。なお、図面においては、各部の寸法の比率は実際のものとは適宜に異ならせてある。
【００２０】
＜１．第１実施形態＞
図１は、本発明の第１実施形態に係る発光装置の概略構成を示す分解斜視図である。この発光装置１は、電気光学パネルＡＡと図示しない外部回路とをＦＰＣ（フレキシブルプリント基板又はフレキシブル基板）Ｂ１及びＢ２で電気的に接続して構成されている。電気光学パネルＡＡは、基板上にＥＬ（Electro Luminescence）素子や配線などの要素を形成して構成され、外部回路により駆動および制御されて方形の画像を表示する。この電気光学パネルＡＡの一端には画像が表示されない部分があり、この部分には、ＦＰＣとの接続用の端子が２段に分けて配列されている。以降、１段目の端子（電源端子）Ｃ１が配列されている部分を端子部Ｂ３、２段目の端子（信号端子）Ｃ２が配列されている部分を端子部Ｂ４と称する。端子部Ｂ３には端子Ｃ１の配列方向に並ぶ４つの端子領域Ｂ３１〜Ｂ３４が存在し、端子部Ｂ４には端子Ｃ２の配列方向に並ぶ４つの端子領域Ｂ４１〜Ｂ４４が存在する。端子Ｃ１は４等分されて端子領域Ｂ３１〜Ｂ３４に配置されており、端子Ｃ２は４等分されて端子領域Ｂ４１〜Ｂ４４に配置されている。
【００２１】
図２は、図１の矢視図である。発光装置１の製造工程では、ＦＰＣＢ２の一端がＡＣＦ（異方性導電フィルム）Ｂ６を用いた熱圧着により電気光学パネルＡＡに固定される。この固定の際には、導通させるべき端子同士がＡＣＦＢ６を介して対向するようにＦＰＣＢ２と電気光学パネルＡＡとの位置合わせ（アライメント）が行われる。この固定により、ＦＰＣＢ２の一端に設けられた端子と端子Ｃ２との導通が実現されている。上記の固定以降に、ＦＰＣＢ１の一端がＡＣＦＢ５を用いた熱圧着により電気光学パネルＡＡに固定される。この固定の際には、導通させるべき端子同士がＡＣＦＢ５を介して対向するようにＦＰＣＢ１と電気光学パネルＡＡとの位置合わせが行われる。この固定により、ＦＰＣＢ１の一端に設けられた端子と端子Ｃ１との導通が実現されている。このような製造工程を経ることにより、電気光学パネルＡＡと外部回路との電気的接続が確保されている。なお、ＡＣＦに代えてＡＣＰ（異方性導電ペースト）を用いるようにしてもよい。また、ＦＰＣの一端を電気光学パネルＡＡに固定する方法として、上記の導通を実現可能な任意の方法を採用してもよい。
【００２２】
図３は、発光装置１の電気的構成を示すブロック図である。電気光学パネルＡＡには、表示部Ａ及び走査線駆動回路１００が形成されている。このうち、表示部Ａには、Ｘ方向と平行にｍ本の走査線１０１が形成されている。また、Ｘ方向と直交するＹ方向と平行にｎ本のデータ線（信号配線）１０３が形成されている。ｎは３の倍数であり、ｎ本のデータ線１０３は外部回路であるデータ線駆動回路２００に接続されている。
【００２３】
走査線１０１とデータ線１０３との各交差に対応して画素回路４００が各々設けられている。つまり、画素回路４００がマトリクス状に配列されている。画素回路４００の各々は、電気エネルギを受けて発光するＥＬ素子、ＥＬ素子を駆動するためのＴＦＴ素子、及びＥＬ素子からの発光光を赤色光、緑色光又は青色光に変換する色変換層を含んでおり、電源電圧を受けて各自が包含するＥＬ素子を駆動することにより赤色光、緑色光又は青色光を発する。ＥＬ素子としては、有機ＥＬ素子や無機ＥＬ素子を例示することができる。
【００２４】
図において、画素回路４００には、その発光色を表す符号「Ｒ」、「Ｇ」または「Ｂ」が付されている。「Ｒ」はＲ色（赤色）、「Ｇ」はＧ色（緑色）、「Ｂ」はＢ色（青色）を表す。これらの符号の配置から明らかなように、画素回路４００は、表示部ＡのＸ方向においてはＲ色用のもの、Ｇ色用のもの及びＢ色用のものが順に繰り返して並び、Ｙ方向においては同一色用のものが並ぶように配置されている。
【００２５】
また、電気光学パネルＡＡには、ＥＬ共通電源線ＬＲ、ＥＬ共通電源線ＬＧ、ＥＬ共通電源線ＬＢ及び共通陰極電源線ＬＮがＸ方向に延在して設けられている。以降の説明では、これらの電源線の各々を共通電源配線と称することもある。ＥＬ共通電源線ＬＲにはｎ／３本のＲ用個別電源線（第２電源接続線）を介してＲ色用の画素回路４００が、ＥＬ共通電源線ＬＧにはｎ／３本のＧ用個別電源線（第２電源接続線）を介してＧ色用の画素回路４００が、ＥＬ共通電源線ＬＢにはｎ／３本のＢ用個別電源線（第２電源接続線）を介してＢ色用の画素回路４００が接続されている。個別電源線はＹ方向に並ぶ画素回路４００に共通であり、１本の個別電源線にはｍ個の画素回路４００が接続されている。つまり、各画素回路４００は個別電源線及び共通電源線を介して電源回路６００に電気的に接続されている。
【００２６】
共通電源線ＬＲ、ＬＧ及びＬＢは、基準電位となる共通陰極電源線ＬＮとともに電源回路６００に接続されている。電源回路６００は、電源電圧Ｖｄｄｒ、Ｖｄｄｇ及びＶｄｄｂを生成し、電源電圧ＶｄｄｒをＲ色用の、電源電圧ＶｄｄｇをＧ色用の、電源電圧ＶｄｄｂをＢ色用の画素回路４００に印加する。共通電源線ＬＲ、ＬＧ及びＬＢ並びに共通陰極電源線ＬＮは略等間隔で配置されており、各データ線１０３はこれらの電源線と立体的に交差して端子Ｃ２に結線されている。つまり、各画素回路４００は、データ線１０３、端子Ｃ２、及びＦＰＣＢ２を介して後述のデータ線駆動回路２００に電気的に接続されている。
【００２７】
走査線駆動回路１００は、複数の走査線１０１を順次選択するための走査信号Ｙ１、Ｙ２、Ｙ３、…、Ｙｍを生成して、各画素回路４００に各々供給する。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号ＹｉがＨレベルになると、当該走査線１０１が選択されたことを示す。
【００２８】
データ線駆動回路２００は、選択された走査線１０１に位置する画素回路４００の各々に対し、データ線１０３を介して供給階調信号Ｘ１、Ｘ２、Ｘ３、…、Ｘｎを供給する。この例において、供給階調信号Ｘ１〜Ｘｎは階調輝度を指示する電圧信号（データ電圧）として各画素回路４００に与えられる。また、データ線駆動回路２００には、供給階調信号の供給に必要な電圧が、電源回路６００から、共通電源線ＬＲ、ＬＧ及びＬＢ並びに共通陰極電源線ＬＮ、端子Ｃ１、及びＦＰＣＢ１を介して印加される。
【００２９】
タイミング発生回路７００は、各種の制御信号を生成してこれらを走査線駆動回路１００及びデータ線駆動回路２００へ出力する。また、画像処理回路８００はガンマ補正等の画像処理を施した階調データＤを生成し、データ線駆動回路２００へ出力する。なお、この例では、タイミング発生回路７００及び画像処理回路８００を、電気光学パネルＡＡの外部に設けたが、これらの一部又は全部を電気光学パネルＡＡに取り込んでもよい。また、走査線駆動回路１００を外部回路として設けてもよい。
【００３０】
図４は、表示部Ａと端子Ｃ１及びＣ２との間の配線領域ＢＢにおける配線パターンの一部を示す図である。配線領域ＢＢにおける配線パターンは同一の部分配線パターンを４つ並べて構成されている。つまり、端子領域Ｂ３１及びＢ４１についての部分配線パターン、端子領域Ｂ３２及びＢ４２についての部分配線パターン、端子領域Ｂ３３及びＢ４３についての部分配線パターン、及び端子領域Ｂ３４及びＢ４４についての部分配線パターンは同一のパターンとなっている。よって、以降の説明では、端子領域Ｂ３２及びＢ４２についての部分配線パターンのみに着目する。
【００３１】
端子領域Ｂ３２及びＢ４２についての部分配線パターンとは、表示部Ａと端子領域Ｂ４２内の端子Ｃ２とを接続するｎ／４本のデータ線１０３の配置と、これらのデータ線１０３が接続されている画素回路４００に接続されているｎ／４本の個別電源線の配置と、共通電源線ＬＲ、ＬＧ及びＬＢ並びに共通陰極電源線ＬＮと端子領域Ｂ３２内の端子Ｃ１とを接続する８本の回路電源線（第１電源接続線）の配置とを意味する。
【００３２】
これらｎ／４本のデータ線１０３は、電気光学パネルＡＡの上面から眺めて４箇所で折り曲げられている。これらの折り曲げ箇所を表示部Ａに近い順に１番目、２番目、３番目、４番目とすると、これらのデータ線１０３は、表示部Ａから１番目の折り曲げ箇所までは対応する端子Ｃ２に最短距離で達する向き（以降、「当初方向」）でまっすぐ延び、１番目の折り曲げ箇所において内側に折り曲げられ、折り曲げられた角度を維持して２番目の折り曲げ箇所までまっすぐ延び、２番目の折り曲げ箇所において共通電源線ＬＲ、ＬＧ及びＬＢ並びに共通陰極電源線ＬＮに直交するように折り曲げられ、折り曲げられた角度を維持しつつ共通電源線ＬＲ、ＬＧ及びＬＢ並びに共通陰極電源線ＬＮと立体的に交差して３番目の折り曲げ箇所までまっすぐ延び、３番目の折り曲げ箇所において外側に折り曲げられ、折り曲げられた角度を維持して４番目の折り曲げ箇所までまっすぐ延び、４番目の折り曲げ箇所において当初方向に折り曲げられている。
【００３３】
つまり、ｎ／４本のデータ線１０３は、共通電源線ＬＲの手前で束ねられ、束ねられたままで共通電源線ＬＲ、ＬＧ及びＬＢ並びに共通陰極電源線ＬＮと立体的に交差し、交差した後に元の幅と同じ程度の幅に広がっている。立体的な交差は複数の層により実現されている。つまり、ｎ／４本のデータ線１０３は、基本的には共通電源線ＬＲ、ＬＧ及びＬＢ並びに共通陰極電源線ＬＮと共通する層（以降、「第１層」）に配置されているが、これらと交差する部分においては第１層に重なる第２層に配置されている。本実施形態では第１層を下層とし第２層を上層としているが、両者を逆とした形態を採ることも可能である。
【００３４】
また、ｎ／４本のデータ線１０３を共通電源線ＬＲ、ＬＧ及びＬＢ並びに共通陰極電源線ＬＮに平行な面で切断したときの当該面におけるデータ線１０３の間隔（以降、「端子間隔」）は、１番目の折り曲げ箇所までは表示部Ａから引き出されたときの間隔（以降、「当初間隔」）のままであり、１番目の折り曲げ箇所から２番目の折り曲げ箇所までは徐々に狭まり、２番目の折り曲げ箇所から３番目の折り曲げ箇所までは狭くなったままであり、３番目から４番目の折り曲げ箇所までは徐々に広がる。４番目の折り曲げ箇所における端子間隔は当初間隔と同程度である。
【００３５】
また、これらのデータ線１０３に沿ってｎ／４本の個別電源線も配置されている。ただし、個別電源線は対応する共通電源線に接続されており、対応する共通電源線に重なった部分より先には延在しない。つまり、個別電源線の折り曲げ回数は２回となっており、データ線１０３とともに束ねられるものの、広がることはない。これらの個別電源線は上記のデータ線１０３と交互に配置されており、図において一部を拡大して模式的に示すように、両者は相互に接触しない。
【００３６】
第２層において、共通電源線ＬＲ、ＬＧ及びＬＢ並びに共通陰極電源線ＬＮに重なる部分には、束ねられたデータ線１０３および個別電源線の両隣にスペースが存在する。これら２つのスペースに、上記８本の回路電源線が配置されている。８本の回路電源線は４本ずつ２組に分けられており、一方のスペースには一方の組の電源線が、他方のスペースには他方の組の電源線が配置されている。各組は、一端が共通電源線ＬＲに接続された電源線、共通電源線ＬＧに接続された電源線、共通電源線ＬＢに接続された電源線、及び共通陰極電源線ＬＮに接続された電源線からなる。これらの電源線の他端は、第２層を通って対応する端子Ｃ１に接続されている。第２層を通すのは、基本的には第１層に形成されるデータ線１０３との間の短絡を確実に回避するためである。なお、本実施形態では合計８組の電源線を介してデータ線駆動回路２００に電源電圧を印加するようにしているが、これは、データ線駆動回路２００を安定して動作させるためである。
【００３７】
上述した第１実施形態によれば、端子Ｃ１と端子Ｃ２が２段に設けられるから、端子Ｃ１の間隔（ピッチ）と端子Ｃ２の間隔（ピッチ）を独立して設定することができる。よって、両者を一列に並べる場合に比較して、端子Ｃ１の間隔と端子Ｃ２の間隔を広く取ることが可能となる。また、端子領域Ｂ３１〜Ｂ３４付近のデータ線１０３の端子間隔は、表示部Ａ付近の間隔や端子領域Ｂ４１〜Ｂ４４付近におけるデータ線１０３の間隔よりも狭くなっており、電気光学パネルＡＡの端部から眺めると端子領域Ｂ３１〜Ｂ３４と端子領域Ｂ４１〜Ｂ４４とが重なっている。つまり、実際にも、両者を一列に並べる場合に比較して、端子Ｃ１の間隔と端子Ｃ２の間隔がより広く確保されている。以上より、本実施形態によれば、端子Ｃ１間および端子Ｃ２間の短絡を防止すること、並びに電気光学パネルＡＡとＦＰＣＢ１及びＢ２との接続においてアライメントに余裕を持たせることの両方を達成することができる。
【００３８】
また、端子Ｃ１と端子Ｃ２が２段に設けられているため、端子間隔が広くなっても、端子部の幅が表示部Ａの幅を超えずに済む。したがって、狭額縁化に寄与する。また、端子Ｃ１にはＦＰＣＢ１が接続され、端子Ｃ２にはＦＰＣＢ１とは異なるＦＰＣＢ２が接続されるから、全ての端子を１個のＦＰＣに接続する場合と比較して、アライメントを簡易にすることができる。
【００３９】
ところで、発光装置１の形態であれば、共通電源線ＬＲ、ＬＧ及びＬＢ並びに共通陰極電源線ＬＮと端子部Ｂ３との間に、これらの電源線に沿ってシール部を設けるのが普通である。シール部を設ける際には、シール材を圧着又は熱圧着することになるから、圧着又は熱圧着による損傷を考慮すると、シール部に覆われるデータ線１０３の長さは短いほど良いことになる。これに対し、本実施形態では、２番目の折り曲げ箇所から３番目の折り曲げ箇所までの間のデータ線１０３は当初方向（共通電源線ＬＲ、ＬＧ及びＬＢ並びに共通陰極電源線ＬＮと直交する方向）に延在しているから、シール部に覆われるデータ線１０３の長さは最短となる。よって、データ線１０３が損傷する可能性を低く抑えることができる。
【００４０】
＜２．第２実施形態＞
本発明の第２実施形態に係る発光装置２について説明する。発光装置２が発光装置１と異なる点は、配線領域ＢＢにおける配線パターンのみである。
図５は、発光装置２の配線領域ＢＢにおける配線パターンの一部を示す図である。配線領域ＢＢにおける配線パターンは発光装置１と同様に同一の部分配線パターンを４つ並べて構成されている。よって、以降の説明では、端子領域Ｂ３１及びＢ４１についての部分配線パターンのみに着目する。
【００４１】
発光装置２における部分配線パターンも、ｎ／４本のデータ線１０３の配置、ｎ／４本の個別電源線の配置、及び８本の回路電源線の配置を意味する。これらの配置のうち、発光装置１における配置と異なるのは、ｎ／４本の個別電源線の配置のみである。すなわち、ｎ／４本の個別電源線は、データ線１０３の１番目の折れ曲げ箇所の手前でｎ／８本にまとめられる。具体的には、図において一部を拡大して示すように、同一の共通電源線に接続すべき２本の個別電源線を第２層の補助配線で接続することにより、２列分の画素回路４００に対する個別電源線を１本にまとめる。ここで、表示部Ａから補助配線までの個別電源線を第１配線とし、補助配線から共通電源線までの個別電源線を第２配線とすると、第２配線の数は第１配線の数の半分となっている。なお、同一の共通電源線に接続すべき個別電源線は共通電源線毎にｎ／１２本あり、どの２本を１本にまとめるかは任意であるが、本実施形態では、電源のインピーダンスを最小とするために、隣接する２本を１本にまとめている。
【００４２】
上述した第２実施形態によれば、第１実施形態と同様の効果の他に、１番目の折り曲げ箇所から２番目の折り曲げ箇所までの間においてデータ線１０３の間に通す個別電源線の数を半分に減らすことができるという効果が得られる。
第１及び第２の実施形態では、データ線１０３及び個別電源線を束ねることによってデータ線駆動回路２００を駆動するための８組の電源線を配置するためのスペースを確保している。したがって、２番目の折り曲げ箇所においてデータ線１０３及び個別電源線を折り曲げる角度を大きくすれば、８組の電源線を配置するためのスペースを広げることができる。スペースを広げる際に問題となるのは、１番目の折り曲げ箇所から２番目の折り曲げ箇所までの間におけるデータ線１０３の間隔である。この間隔は表示部Ａから１番目の折り曲げ箇所までの間におけるデータ線１０３の間隔に比較して狭くならざるを得ず、上記の角度を大きくし過ぎると、データ線１０３と個別電源線が接触してしまうからである。しかし、第２実施形態によれば、１番目の折り曲げ箇所から２番目の折り曲げ箇所までの間においてデータ線１０３の間に通す個別電源線の数を半分に減らすことができるから、個別電源線を間に通すデータ線１０３の間隔を広くし、通さないデータ線１０３の間隔を狭くすることにより、上記の角度を大きくし、８組の電源線の間隔を広げて配置することができる。これは、ＦＰＣを電気光学パネルＡＡに固定する際の両者の位置合わせの容易化に寄与する。
【００４３】
＜３．第３実施形態＞
本発明の第３実施形態に係る発光装置３について説明する。発光装置３が発光装置１と異なる点は、配線領域ＢＢにおける配線パターンのみである。
図６は、発光装置３の配線領域ＢＢにおける配線パターンの一部を示す図である。配線領域ＢＢにおける配線パターンは発光装置１と同様に同一の部分配線パターンを４つ並べて構成されている。よって、以降の説明では、端子領域Ｂ３１及びＢ４１についての部分配線パターンのみに着目する。
【００４４】
発光装置２における部分配線パターンも、ｎ／４本のデータ線１０３の配置、ｎ／４本の個別電源線の配置、及び８本の回路電源線の配置を意味する。これらの配置のうち、発光装置１における配置と異なるのは、ｎ／４本の個別電源線の配置のみである。すなわち、ｎ／４本の個別電源線は、データ線１０３の１番目の折れ曲げ箇所の手前でｎ／８本にまとめられる。具体的には、図において一部を拡大して示すように、同一の共通電源線に接続すべき全ての個別電源線を第２層で補助配線により接続することにより、２列分の画素回路４００に対する個別電源線を１本にまとめる。ここで、表示部Ａから補助配線までの個別電源線を第１配線とし、補助配線から共通電源線までの個別電源線を第２配線とすると、第２配線の数は第１配線の数の半分となっている。なお、１本にまとめる個別電源線の選択ルールは第２実施形態と同様である。
【００４５】
補助配線は共通電源線毎に存在し、全ての部分配線パターンで共通している。具体的には、ＥＬ共通電源線ＬＲに接続すべきｎ／３本の個別電源線を接続する補助配線ＳＲ、ＥＬ共通電源線ＬＧに接続すべきｎ／３本の個別電源線を接続する補助配線ＳＧ、及びＥＬ共通電源線ＬＢに接続すべきｎ／３本の個別電源線を接続する補助配線ＳＢが配置されている。
【００４６】
上述した第３実施形態によれば、第２実施形態と同様の効果の他に、電源のインピーダンスを大幅に下げることができるという効果が得られる。これは、画素回路４００に印加される電源電圧のバラつきを抑制することになるから、表示部Ａの表示品質の向上につながる。
【００４７】
＜４．応用例＞
次に、発光装置１の応用例について説明する。応用例に係る発光装置４が発光装置１と大きく異なる点は、端子部を２段構成ではなく１段構成とし、束ねたデータ線１０３を少しだけ広げて端子に接続している点である。以降、図面を参照して詳細に説明する。
【００４８】
図７は、発光装置４の概略構成を示す分解斜視図である。この発光装置４は、電気光学パネルＤＤと図示しない外部回路とをＦＰＣＥ１で電気的に接続して構成されている。電気光学パネルＤＤが前述の電気光学パネルＡＡと異なる点は、配線領域ＢＢよりも広い配線領域ＥＥを有する点と、配線領域ＥＥにおける配線パターンや端子の配置パターンが配線領域ＢＢにおけるものと異なる点である。
【００４９】
配線領域ＥＥにはＦＰＣＥ１との接続用の端子Ｃ３が１段だけ配列されている。端子Ｃ３が配列されている部分を端子部Ｅ２と称する。端子部Ｅ２には端子Ｃ３の配列方向に並ぶ４つの端子領域Ｅ２１〜Ｅ２４が存在する。端子Ｃ３は電源端子又は信号端子として用いられるものであり、４等分されて端子領域Ｅ２１〜Ｅ２４に配置されている。端子領域における電源端子と信号端子の配置は全ての端子領域Ｅ２１〜Ｅ２４に共通である。
【００５０】
ＦＰＣＥ１の一端には端子部Ｅ２における端子Ｃ３と導通させるべき端子が設けられている。ＦＰＣＥ１の一端を電気光学パネルＤＤに固定する方法は第１実施形態で述べた方法と同様である。この固定により、ＦＰＣＥ１の一端に設けられた端子と端子Ｃ３とが導通し、電気光学パネルＤＤと外部回路との電気的接続が確保される。
【００５１】
図８は、電気光学パネルＤＤの表示部Ａと端子Ｃ３との間の配線領域ＥＥにおける配線パターンの一部を示す図である。配線領域ＥＥにおける配線パターンは、端子領域Ｅ２２とＥ２３との間を境に左右対称となっている。さらに、端子領域Ｅ２２についての部分配線パターンは、端子領域Ｅ２１についての部分配線パターンについての説明及び図から容易に特定可能である。よって、以降の説明では、端子領域Ｅ２１についての部分配線パターンのみに着目する。
【００５２】
端子領域Ｅ２１についての部分配線パターンとは、表示部Ａと端子領域Ｅ２１内の端子Ｃ３とを接続するｎ／４本のデータ線１０３の配置と、これらのデータ線１０３が接続されている画素回路４００に接続されているｎ／４本の個別電源線の配置と、共通電源線ＬＲ、ＬＧ及びＬＢ並びに共通陰極電源線ＬＮと端子領域Ｅ２１内の端子Ｃ３とを接続する８本の回路電源線の配置とを意味する。
【００５３】
これらｎ／４本のデータ線１０３は、電気光学パネルＤＤの上面から眺めて４箇所で折り曲げられている。これらの折り曲げ箇所を表示部Ａに近い順に１番目、２番目、３番目、４番目とすると、これらのデータ線１０３は、表示部Ａから１番目の折り曲げ箇所までは当初方向にまっすぐ延び、１番目の折り曲げ箇所において内側に折り曲げられ、折り曲げられた角度を維持して２番目の折り曲げ箇所までまっすぐ延び、２番目の折り曲げ箇所において共通電源線ＬＲ、ＬＧ及びＬＢ並びに共通陰極電源線ＬＮに直交するように折り曲げられ、折り曲げられた角度を維持しつつ共通電源線ＬＲ、ＬＧ及びＬＢ並びに共通陰極電源線ＬＮと立体的に交差して３番目の折り曲げ箇所までまっすぐ延び、３番目の折り曲げ箇所において表示部Ａの外側に折り曲げられ、折り曲げられた角度を維持して４番目の折り曲げ箇所までまっすぐ延び、４番目の折り曲げ箇所において当初方向に折り曲げられている。なお、ここで、表示部Ａの外側とは、端子Ｃ３の配列方向において表示部Ａからはみ出した領域を意味する。
【００５４】
つまり、ｎ／４本のデータ線１０３は、共通電源線ＬＲの手前で束ねられ、束ねられたままで共通電源線ＬＲ、ＬＧ及びＬＢ並びに共通陰極電源線ＬＮと立体的に交差し、交差した後にやや広がっている。立体的な交差の実現方法は第１の実施形態と同様である。
【００５５】
また、ｎ／４本のデータ線１０３の端子間隔は、１番目の折り曲げ箇所までは当初間隔のままであり、１番目の折り曲げ箇所から２番目の折り曲げ箇所までは徐々に狭まり、２番目の折り曲げ箇所から３番目の折り曲げ箇所までは狭くなったままであり、３番目から４番目の折り曲げ箇所までは徐々に少し広がる。４番目の折り曲げ箇所における端子間隔は当初間隔よりは狭いが立体的な交差の部分における端子間隔よりは広い。
【００５６】
また、これらのデータ線１０３に沿ってｎ／４本の個別電源線も配置されているが、これらの個別電源線の配置は第１実施形態と同様であるため、その説明を省略する。また、８本の回路電源線と共通電源線ＬＲ、ＬＧ及びＬＢ並びに共通陰極電源線ＬＮとの接続は第１実施形態と同様である。ただし、これら８本の回路電源線はデータ線１０３に沿って配置される。つまり、３番目及び４番目の折り曲げ箇所で折り曲げられて対応する端子Ｃ３に接続されている。また、これら８本の回路電源線の端子間隔は３番目の折り曲げ箇所から４番目の折り曲げ箇所まで徐々に少し広がる。
【００５７】
上述した応用例によれば、端子Ｃ３がその配列方向において表示部Ａからはみ出して配置されているため、はみ出さずに配置する形態に比較して、端子Ｃ３の間隔を広くすることができる。このため、ＦＰＣＥ１の一端に設けるべき端子の間隔をも広くすることができる。よって、ＦＰＣを電気光学パネルＤＤに固定する際の両者の位置合わせが容易となる。
【００５８】
ところで、発光装置４の形態であれば、共通電源線ＬＲ、ＬＧ及びＬＢ並びに共通陰極電源線ＬＮと３番目の折り曲げ箇所との間に、これらの電源線に沿ってシール部を設けるのが普通である。前述のように、シール部に覆われるデータ線１０３の長さは短いほど良い。これに対し、応用例では、２番目の折り曲げ箇所から３番目の折り曲げ箇所までの間のデータ線１０３は当初方向（共通電源線ＬＲ、ＬＧ及びＬＢ並びに共通陰極電源線ＬＮと直交する方向）に延在しているから、シール部に覆われるデータ線１０３の長さは最短となる。よって、データ線１０３が損傷する可能性を低く抑えることができる。
【００５９】
＜５．変形例＞
上述した実施形態又は応用例を以下に列挙するように変形してもよい。
例えば、有機ＥＬ素子に代えて他の発光素子を用いるようにしてもよい。もちろん、発光素子として発光ダイオードを用いる場合には色変換層は不要となる。
また、白黒画像などの２値画像のみを表示可能な発光装置としてもよい。この場合、共通電源線ＬＲ、ＬＧ及びＬＢが１本にまとめられる。
また、シール部の下にはデータ線１０３などの配線が設けられるが、この配線はシール部に対して斜めであってもよい。この場合には、配線の凹凸により酸素や水分が迂回され封止性能が向上する。
【００６０】
＜６．電子機器＞
次に、上述した実施形態及び変形例に係る発光装置１を適用した各種の電子機器について説明する。言うまでもないが、発光装置１に代えて発光装置２〜４のうち任意の一を適用することも可能である。
図９に、発光装置１を適用したモバイル型のパーソナルコンピュータの構成を示す。パーソナルコンピュータ２０００は、表示ユニットとしての発光装置１と本体部２０１０を備える。本体部２０１０には、電源スイッチ２００１及びキーボード２００２が設けられている。この発光装置１はＥＬ素子１７を用いるので、視野角が広く見易い画面を表示できる。
【００６１】
図１０に、発光装置１を適用した携帯電話機の構成を示す。携帯電話機３０００は、複数の操作ボタン３００１及びスクロールボタン３００２、並びに表示ユニットとしての発光装置１を備える。スクロールボタン３００２を操作することによって、発光装置１に表示される画面がスクロールされる。
図１１に、発光装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての発光装置１を備える。電源スイッチ４００２を操作すると、住所録やスケジュール帳といった各種の情報が発光装置１に表示される。
【００６２】
なお、発光装置１〜４が適用される電子機器としては、図９〜図１１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した発光装置１〜４のうち任意の一を適用可能である。
【図面の簡単な説明】
【００６３】
【図１】本発明の第１実施形態に係る発光装置１の概略構成を示す分解斜視図である。
【図２】図１の矢視図である。
【図３】発光装置１の電気的構成を示すブロック図である。
【図４】発光装置１の表示部Ａと端子Ｃ１及びＣ２との間の配線領域ＢＢにおける配線パターンの一部を示す図である。
【図５】本発明の第２実施形態に係る発光装置２の配線領域ＢＢにおける配線パターンの一部を示す図である。
【図６】本発明の第３実施形態に係る発光装置３の配線領域ＢＢにおける配線パターンの一部を示す図である。
【図７】発光装置１の応用例に係る発光装置４の概略構成を示す分解斜視図である。
【図８】発光装置４を構成する電気光学パネルＤＤの表示部Ａと端子Ｃ３との間の配線領域ＥＥにおける配線パターンの一部を示す図である。
【図９】発光装置１を適用したモバイル型のパーソナルコンピュータの構成を示す斜視図である。
【図１０】発光装置１を適用した携帯電話機の構成を示す斜視図である。
【図１１】発光装置１を適用した情報携帯端末の構成を示す斜視図である。
【図１２】従来の技術における、表示部とフレキシブルプリント基板を接続するための端子との間における配線パターンの一例を示す図である。
【図１３】従来の技術における、表示部とフレキシブルプリント基板を接続するための端子との間における配線パターンの他の例を示す図である。
【符号の説明】
【００６４】
１，２，３…発光装置、１０３…データ線（信号配線）、２００…データ線駆動回路、４００…画素回路、６００…電源回路、Ａ…表示部、ＡＡ…電気光学パネル（基板を含む）、Ｂ１，Ｂ２…ＦＰＣ（フレキシブルプリント基板又はフレキシブル基板）、Ｂ３，Ｂ４…端子部、Ｂ３１〜Ｂ３４…端子領域（電源端子領域）、Ｂ４１〜Ｂ４４…端子領域（信号端子領域）、ＢＢ…配線領域、ＬＮ…共通陰極電源線（共通電源配線）、ＬＲ，ＬＧ，ＬＢ…ＥＬ共通電源線（共通電源配線）、ＳＲ，ＳＧ，ＳＢ…補助配線。
【図１】
2006285058.tif 000003
【図２】
2006285058.tif 000004
【図３】
2006285058.tif 000005
【図４】
2006285058.tif 000006
【図５】
2006285058.tif 000007
【図６】
2006285058.tif 000008
【図７】
2006285058.tif 000009
【図８】
2006285058.tif 000010
【図９】
2006285058.tif 000011
【図１０】
2006285058.tif 000012
【図１１】
2006285058.tif 000013
【図１２】
2006285058.tif 000014
【図１３】
2006285058.tif 000015